(57)【特許請求の範囲】
【請求項１】
基板に形成されたコイルパターンと、このコイルパターンの一部を基板の表裏両側から挟み込む一対のコア部材と、前記基板のコイルパターン形成領域に設けられるコア足挿通孔と、このコア足挿通孔を利用して前記一対のコア部材を基板の表裏両側から挟持して組み合わせるコア組み合わせ部材とを有するコイル装置であって、コア組み合わせ部材は、略コ字形状の表面側カバー部材と、略コ字形状の裏面側カバー部材とを有し、それら表面側カバー部材と裏面側カバー部材は互いに略コ字形状の基面部間で前記一対のコア部材を基板の表裏両側から挟み、かつ、略コ字形状の足部を嵌合して前記一対のコア部材を組み合わせる構成と成し、さらに、それら表面側カバー部材と裏面側カバー部材は、足部が嵌合している状態のまま、相対的に前後方向に移動が自在な構成を有しており、コア組み合わせ部材には、表面側カバー部材と裏面側カバー部材の前後方向の相対移動量を規制するストッパー手段が形成されていることを特徴としたコイル装置。
【請求項２】
ストッパー手段は、表面側カバー部材の足部と裏面側カバー部材の足部のうち、嵌合状態で外側となる足部に形成された開口部と、内側となる足部に形成され前記嵌合相手の足部の開口部の端縁に係止する突起部とを有して構成されていることを特徴とした請求項１記載のコイル装置。
【請求項３】
コイルパターンは基板の端縁領域に形成され、コイルパターン形成領域の側縁部から基板側縁部に至る基板部位は切除部と成しており、また、コイルパターンの中央部の基板部位にはコア足挿通孔が形成されており、前記切除部とコア足挿通孔にそれぞれコア部材のコア足が挿入配置されていることを特徴とした請求項１又は請求項２記載のコイル装置。
【発明の詳細な説明】
【０００１】
【発明の属する技術分野】
本発明は、トランスやチョークコイルとして機能するコイル装置に関するものである。
【０００２】
【背景技術】
図１０（ａ）にはコイル装置の従来例が分解状態で示され、図１０（ｂ）には図１０（ａ）に示すコイル装置のＡ−Ａ部分の断面図が示されている。これら図１０（ａ）、（ｂ）に示されるコイル装置１はＤＣ−ＤＣコンバータ等の回路に組み込まれてトランスやチョークコイルとして機能するものであり、電子部品搭載用基板２と、この電子部品搭載用基板２に形成されたコイルパターン部３と、一対のコア部材４（４ａ，４ｂ）と、コア組み合わせ部材５とを有して構成されている。
【０００３】
電子部品搭載用基板２には回路を構成する電子部品が搭載されると共に回路パターンが形成される。また、この電子部品搭載用基板２は、例えば複数の基板が積層形成された多層基板であり、例えば、その電子部品搭載用基板２を構成している複数の基板にはそれぞれコイルパターン７が中心軸を同軸上にして配置形成されている。これら複数のコイルパターン７によってコイルパターン部３が構成されている。なお、このコイル装置１がトランス装置と成す場合には、複数のコイルパターン７のうちの少なくとも１つは一次コイルを構成し、残りは二次コイルを構成している。
【０００４】
この従来例では、対を成すコア部材４ａ，４ｂは両方共にフェライト等の磁性材料粉末を押圧し焼結成型して作製されたものであり、平板状の天板部８と、この天板部８の中央部および左右両端部に立設しているコア足９（９ａ，９ｂ，９ｃ）とを有する断面がＥ字形状のＥ型コア部材である。
【０００５】
電子部品搭載用基板２には、コイルパターン部３の中心部に位置する基板部位およびコイルパターン部３よりも外側となる基板部位にコア足挿通孔１０（１０ａ，１０ｂ，１０ｃ）がそれぞれ設けられている。これらコア足挿通孔１０ａ，１０ｂ，１０ｃには、それぞれ、電子部品搭載用基板２の表裏両側からそれぞれコア部材４ａ，４ｂの各コア足９（９ａ，９ｂ，９ｃ）が挿通され、それら表面側のコア部材４ａのコア足９と、裏面側のコア部材４ｂのコア足９とが突き合わされている。
【０００６】
コア組み合わせ部材５は、対を成すコア部材４ａ，４ｂを嵌め込み、それらコア部材４ａ，４ｂを組み合わせるものであり、金属板の折り曲げ加工により天板１２と足部１３と爪部１４が形成されて成る。天板１２はコア部材４ａの天板部８の天面８ａを覆うものである。足部１３（１３ａ，１３ｂ）は、天板１２の左右側部側がそれぞれ起立方向に折り曲げられて形成されており、コア部材４ａ，４ｂのコア足９ａ，９ｃの外側面に沿って配置される。爪部１４（１４ａ，１４ｂ）は足部１３（１３ａ，１３ｂ）の先端側が内向きに折り曲げられて形成されており、コア部材４ｂの天板部８の天面８ａに当接する。
【０００７】
表面側のコア部材４ａのコア足９と裏面側のコア部材４ｂのコア足９とが突き合わされている状態でのコア部材４ａの天板部８の天面８ａからコア部材４ｂの天板部８の天面８ａに至るまでの距離ｈと、天板１２と爪部１４間の間隔とはほぼ等しくなっている。これにより、コア組み合わせ部材５と、突き合わせ状態のコア部材４ａ，４ｂとを嵌め合わせることで、天板１２と爪部１４が表裏両側から突き合わせ状態のコア部材４ａ，４ｂの左右両端側を挟持する。
【０００８】
このようなコア組み合わせ部材５を利用することにより、コア部材４ａ，４ｂは相対的に前後方向（α方向）に移動可能な状態で組み合わされる。なお、各コア足挿通孔１０の前後方向の長さＷは、コア部材４を前後方向に移動させることができるようにコア部材４のコア足９の幅ｗよりも長くなっている。
【０００９】
コイル装置１は次に示すように組み立てられる。例えば、まず、コイルパターン部３およびコア足挿通孔１０が形成されている電子部品搭載用基板２の表面側にコア部材４ａを、また、裏面側にコア部材４ｂをそれぞれ配置する。そして、表面側のコア部材４ａの各コア足９を電子部品搭載用基板２の表面側からそれぞれ対応するコア足挿通孔１０に挿通する。また同様に、裏面側のコア部材４ｂの各コア足９を電子部品搭載用基板２の裏面側からそれぞれ対応するコア足挿通孔１０に挿通する。これにより、表面側のコア部材４ａのコア足９と裏面側のコア部材４ｂのコア足９とを突き合わせる。
【００１０】
そして、その突き合わせ状態のコア部材４ａ，４ｂの上方側からコア組み合わせ部材５の左側の足部１３ａを左側のコア足挿通孔１０ａに、また、コア組み合わせ部材５の右側の足部１３ｂを右側のコア足挿通孔１０ｃにそれぞれコア部材４のコア足９よりも外側位置に挿入する。
【００１１】
これにより、コア組み合わせ部材５の天板１２をコア部材４ａの天板部８の天面８ａに当接させると共に、コア組み合わせ部材５の爪部１４ａ，１４ｂをコア部材４ｂの天板部８の天面８ａに当接させて、突き合わせ状態のコア部材４ａ，４ｂとコア組み合わせ部材５とを嵌め合わす。これにより、コア部材４ａ，４ｂはコア組み合わせ部材５によって組み合わされて電子部品搭載用基板２に組み込まれる。また同時に、コア部材４ａ，４ｂは、コイルパターン部３の一部分を電子部品搭載用基板２の表裏両面側から挟み込むこととなる。
【００１２】
然る後に、組み合わされたコア部材４ａ，４ｂを相対的に前後方向に摺動移動させて、コア部材４ａ，４ｂの当接部位、つまり、突き合わされているコア足９の先端面同士を擦り合わせる。このように、コア足９の先端面同士の擦り合わせ（コアの擦り合わせ）を行うことによって、次に示すような効果を得ることができる。
【００１３】
つまり、コア部材４は磁性材料粉末を焼結成型して成るものであるために、そのコア部材４のコア足９の先端面は粗面である。また、コア部材４ａ，４ｂの組み合わせ作業時に、突き合わされるコア足９の先端面間にゴミが入り込んでしまう。これらのことにより、そのままでは、突き合わされているコア足９の先端面同士の密着性は低いものである。これに対して、コアの擦り合わせを行ってコア足９の先端面同士を擦り合わせることによって、コア足９の先端面が研磨されて鏡面に近い状態となる。かつ、コア足９の先端面間に入り込んだゴミが擦り潰されて除去されるので、表面側のコア部材４ａのコア足９の先端面と、裏面側のコア部材４ｂのコア足９の先端面とを密着させることができる。このように、コア部材４ａ，４ｂを密着させることによって、インダクタンス値の低下を防止することができて、コイル装置１の性能悪化を回避することができるというものである。
【００１４】
【発明が解決しようとする課題】
ところで、従来の構成では、コア組み合わせ部材５によって、一対のコア部材４ａ，４ｂの左右両端側を表裏両側から強く押圧して挟持する構成であるために、コアの擦り合わせを行う際に、コア部材４ａ，４ｂに大きな力を加えなければコア部材４ａ，４ｂを相対的に摺動移動させることができず、作業性が悪いという問題があった。
【００１５】
また、コイル装置１には薄型化が要求されており、この要求に応えるためにコア部材４ａ，４ｂの薄型化を推し進めると、コアの擦り合わせ時に大きな力がコア部材４ａ，４ｂに加えられることにより、コア部材４ａ，４ｂが割れたり、コア部材４ａ，４ｂに欠けが生じて破損してしまうという問題が生じる。このため、コア部材４ａ，４ｂの薄型化が難しく、コイル装置１の薄型化を妨げていた。
【００１６】
本発明は上記課題を解決するために成されたものであり、その目的は、コイル装置の製造工程において、コアの擦り合わせを行う際の作業性を向上させると共に、コア部材を薄型にしても、コアの擦り合わせ時にコア部材の破損を抑制することができるコイル装置を提供することにある。
【００１７】
【課題を解決するための手段】
上記目的を達成するために成されたものであり、この発明は次に示す構成をもって前記課題を解決する手段としている。すなわち、第１の発明は、基板に形成されたコイルパターンと、このコイルパターンの一部を基板の表裏両側から挟み込む一対のコア部材と、前記基板のコイルパターン形成領域に設けられるコア足挿通孔と、このコア足挿通孔を利用して前記一対のコア部材を基板の表裏両側から挟持して組み合わせるコア組み合わせ部材とを有するコイル装置であって、コア組み合わせ部材は、略コ字形状の表面側カバー部材と、略コ字形状の裏面側カバー部材とを有し、それら表面側カバー部材と裏面側カバー部材は互いに略コ字形状の基面部間で前記一対のコア部材を基板の表裏両側から挟み、かつ、略コ字形状の足部を嵌合して前記一対のコア部材を組み合わせる構成と成し、さらに、それら表面側カバー部材と裏面側カバー部材は、足部が嵌合している状態のまま、相対的に前後方向に移動が自在な構成を有しており、コア組み合わせ部材には、表面側カバー部材と裏面側カバー部材の前後方向の相対移動量を規制するストッパー手段が形成されていることを特徴として構成されている。
【００１８】
第２の発明は、第１の発明の構成を備え、ストッパー手段は、表面側カバー部材の足部と裏面側カバー部材の足部のうち、嵌合状態で外側となる足部に形成された開口部と、内側となる足部に形成され前記嵌合相手の足部の開口部の端縁に係止する突起部とを有して構成されていることを特徴として構成されている。
【００１９】
第３の発明は、第１又は第２の発明の構成を備え、コイルパターンは基板の端縁領域に形成され、コイルパターン形成領域の側縁部から基板側縁部に至る基板部位は切除部と成しており、また、コイルパターンの中央部の基板部位にはコア足挿通孔が形成されており、前記切除部とコア足挿通孔にそれぞれコア部材のコア足が挿入配置されていることを特徴として構成されている。
【００２０】
この発明では、コア組み合わせ部材は、表面側カバー部材と裏面側カバー部材を有し、これら表面側カバー部材と裏面側カバー部材の嵌め合わせによって、対を成すコア部材を挟持して組み合わせることができる。これにより、従来の構成に比べて、コア組み合わせ部材からコア部材に加える挟持力は弱くて済むこととなる。
【００２１】
また、この発明では、コア組み合わせ部材の表面側カバー部材と裏面側カバー部材は、足部が嵌合している状態のまま、相対的に前後方向に移動が自在な構成と成している。このため、コア部材を組み合わせた状態のまま、表面側のコア部材と裏面側のコア部材を、小さい力を加えるだけで、相対的に前後方向に移動させることができて、コアの擦り合わせを容易に行うことができる。これにより、コアの擦り合わせの作業性を向上させることができる。
【００２２】
また、小さい力を加えるだけで、対を成すコア部材を相対的に前後方向に移動させてコアの擦り合わせを行うことが可能であることから、コア部材を薄型にしても、コアの擦り合わせ作業により、コア部材が破損してしまう事態発生を抑制することができる。これにより、コア部材を薄型化することができて、コイル装置の薄型化を促進させることができる。
【００２３】
さらに、コア組み合わせ部材には、ストッパー手段が形成されており、このストッパー手段により、表面側カバー部材と裏面側カバー部材の前後方向の相対移動量が規制される。この構成により、表面側カバー部材と裏面側カバー部材の前後方向の相対移動量が多くて、表面側カバー部材と裏面側カバー部材の嵌合状態が解除されてしまうという問題を確実に回避することができる。
【００２４】
【発明の実施の形態】
以下に、この発明に係る実施形態例を図面に基づいて説明する。なお、この実施形態例の説明において、従来例と同一構成部分には同一符号を付し、その共通部分の重複説明は省略する。
【００２５】
ところで、図４には本発明者が考え出したコイル装置の一提案例が前部側から見た状態で模式的に示されている。このコイル装置１は、コア組み合わせ部材５に特有な構成を持つものであり、図５（ａ）には、そのコア組み合わせ部材５が抜き出され表側から見た状態で示され、図５（ｂ）には右側から見たコア組み合わせ部材５が示されている。なお、コア組み合わせ部材５以外の構成は従来例とほぼ同様であるが、この提案例では、対を成すコア部材４ａ，４ｂの一方のコア部材４ａは、図７（ａ）に示すように、断面Ｉ字形状のＩ型コア部材と成し、他方のコア部材４ｂはＥ型コア部材と成している。
【００２６】
この提案例では、コア組み合わせ部材５は、表面側カバー部材２０と裏面側カバー部材２１を有して構成されている。これら表面側カバー部材２０と裏面側カバー部材２１は両方共に金属板を折り曲げ加工して作製されるものであり、平板状の基面部２２と、この基面部２２の左右両端部に起立形成される足部２３（２３ａ，２３ｂ）とを有し、略コ字形状と成している。
【００２７】
これら表面側カバー部材２０と裏面側カバー部材２１は互いに基面部２２間で一対のコア部材４ａ，４ｂを電子部品搭載用基板２の表裏両面側から挟み、かつ、足部２３を互いに嵌合してコア部材４ａ，４ｂを挟持する。
【００２８】
この提案例では、表面側カバー部材２０と裏面側カバー部材２１の各基面部２２の前端部には電子部品搭載用基板２の表裏方向に突出した突出部である前突出爪部３０が形成されている。また、表面側カバー部材２０と裏面側カバー部材２１の各基面部２２の後端部には表裏方向に突出した突出部である後突出爪部３１が形成されている。
【００２９】
この提案例では、表面側カバー部材２０と裏面側カバー部材２１の各基面部２２の前後方向の幅Ｇはコア部材４の前後方向の幅ｗとほぼ等しくなっている。このため、表面側カバー部材２０と裏面側カバー部材２１の各足部２３が嵌め合わされてコア部材４ａ，４ｂが表面側カバー部材２０の基面部２２と裏面側カバー部材２１の基面部２２によって挟持されているときに、表面側カバー部材２０、裏面側カバー部材２１の各前突出爪部３０はそれぞれコア部材４ａ，４ｂの前端面に係止し、かつ、表面側カバー部材２０、裏面側カバー部材２１の各後突出爪部３１はそれぞれコア部材４ａ，４ｂの後端面に係止する。これにより、コア部材４ａ，４ｂの前後方向の配置位置が規制される。
【００３０】
この提案例では、表面側カバー部材２０の足部２３と裏面側カバー部材２１の足部２３とのうち、嵌合状態で外側となる表面側カバー部材２０の左右両側の足部２３には、それぞれ、足部開口部２４（２４ａ，２４ｂ）が形成されている（図５（ｂ）参照）。また、内側となる裏面側カバー部材２１の左右両側の足部２３にはそれぞれ外側の足部２３の足部開口部２４（２４ａ，２４ｂ）から外側に突出する凸部２５（２５ａ，２５ｂ）が形成されている。その凸部２５（２５ａ，２５ｂ）は球面状の曲面（傾斜面）２６と足部開口部２４の端縁に係合する平坦な係合面２７とを有している。
【００３１】
表面側カバー部材２０の足部２３と裏面側カバー部材２１の足部２３が嵌め合わされて、凸部２５の係合面２７が足部開口部２４の端縁に係止することによって、表面側カバー部材２０と裏面側カバー部材２１が抜け止め状態となる。このとき、それら表面側カバー部材２０と裏面側カバー部材２１により、コア部材４ａ、４ｂが突き合わせ状態で挟持されるように、足部開口部２４と凸部２５の各形成位置が設計されている。
【００３２】
また、この提案例では、足部開口部２４の前後方向の幅Ｑは凸部２５の前後方向の幅ｑよりも広くなっており、足部開口部２４の前端縁あるいは後端縁と凸部２５との間には遊嵌間隙Ｓが形成されている。この遊嵌間隙Ｓによって、表面側カバー部材２０と裏面側カバー部材２１はコア部材４ａ、４ｂを挟持した状態で相対的に前後方向に移動することができる。
【００３３】
この提案例では、前突出爪部３０と後突出爪部３１によって、表面側のコア部材４ａは表面側カバー部材２０に、また、裏面側のコア部材４ｂは裏面側カバー部材２１にそれぞれ前後方向の位置が規制される。かつ、表面側カバー部材２０と裏面側カバー部材２１は抜け止め状態で前後方向に相対移動が可能である。このことから、表面側カバー部材２０と裏面側カバー部材２１がコア部材４ａ，４ｂを挟持している状態で、これら表面側カバー部材２０と裏面側カバー部材２１を前後方向に相対移動させることで、それらカバー部材２０，２１と一体的にコア部材４ａ，４ｂを前後方向に相対移動させて、コアの擦り合わせを行うことが可能となる。
【００３４】
この提案例では、コアの擦り合わせを行う際には、表面側カバー部材２０と裏面側カバー部材２１の両方を前後方向に移動させるのではなく、裏面側カバー部材２１を固定し、表面側カバー部材２０を前後方向に移動させてコア部材４ａ，４ｂを擦り合わせる構成と成している。
【００３５】
つまり、この提案例では、コア足挿通孔１０の前後方向の幅Ｗと、裏面側カバー部材２１の足部２３の前後方向の幅Ｇとがほぼ等しくなっている。これにより、裏面側カバー部材２１の足部２３をコア足挿通孔１０に挿入させた際に、裏面側カバー部材２１の足部２３の前端面２８と後端面２９がそれぞれコア足挿通孔１０の内壁面に係止して、裏面側カバー部材２１は前後方向にほぼ固定された状態となる。
【００３６】
また、表面側カバー部材２０の足部２３には、表面側カバー部材２０を前後方向に移動させた際にコア足挿通孔１０の内壁面に当接する部位に逃げ用の切除部３２，３３が形成されている。その切除部３２，３３により、表面側カバー部材２０は、その足部２３をコア足挿通孔１０に挿入させた状態でも、前後方向に移動することができる。
【００３７】
この提案例では、凸部２５は球面状の曲面（傾斜面）２６を有しているために、裏面側カバー部材２１に対して表面側カバー部材２０を前後方向に移動させる際に、図６（ａ）、（ｃ）に示すように、足部開口部２４の前端縁あるいは後端縁が凸部２５の曲面２６に乗り上がって移動することができる。これにより、足部開口部２４の端縁と凸部２５との間の遊嵌間隙Ｓの幅よりも、表面側カバー部材２０の前後方向の移動量を増加することができる。
【００３８】
なお、この提案例では、表面側カバー部材２０の基面部２２の中央部が左右両端部よりも僅かに下がった形状と成している（図４参照）。これにより、その基面部２２の中央部からコア部材４ａに押圧力を加えることができる構成となっている。コア部材４ａ，４ｂは磁性材料粉末を焼結成型して成るものであるために、製品の寸法精度が良いものではない。この提案例の如く、表面側カバー部材２０の基面部２２の中央部からコア部材４ａに押圧力を加えることができる構成とすることによって、表面側カバー部材２０と裏面側カバー部材２１により、寸法にばらつきがあるコア部材４ａ，４ｂを確実に挟持することができることとなる。
【００３９】
このようなコア組み合わせ部材５を利用したコイル装置１の組み立て工程の一例を簡単に説明する。例えば、まず、従来例と同様に、コア部材４ａ，４ｂを電子部品搭載用基板２の表裏両面側にそれぞれ配置する。そして、Ｉ型コア部材であるコア部材４ａをコア足挿通孔１０ａ，１０ｂ，１０ｃを塞ぐようにして電子部品搭載用基板２上に乗せる。また、Ｅ型コア部材であるコア部材４ｂの各コア足９をそれぞれ対応するコア足挿通孔１０に挿入して、表面側のコア部材４ａと裏面側のコア部材４ｂを当接させる。
【００４０】
次に、その表面側のコア部材４ａの外側に表面側カバー部材２０を、また、裏面側のコア部材４ｂの外側に裏面側カバー部材２１をそれぞれ配置する。そして、それら表面側カバー部材２０、裏面側カバー部材２１をコア部材４ａ，４ｂに被せるようにして表面側カバー部材２０および裏面側カバー部材２１の各足部２３をそれぞれ対応するコア足挿通孔１０に挿入し、表面側カバー部材２０と裏面側カバー部材２１の足部２３を互いに嵌合する。この際、表面側カバー部材２０の足部開口部２４の端縁に裏面側カバー部材２１の凸部２５の係合面２７が抜け止め係止して、表面側カバー部材２０と裏面側カバー部材２１の足部２３の嵌合状態は保持される。
【００４１】
これにより、コア部材４ａ，４ｂは、表面側カバー部材２０と裏面側カバー部材２１によって、挟持されて組み合わされる。また同時に、これらコア部材４ａ，４ｂは電子部品搭載用基板２に形成されているコイルパターン部３の一部分を挟み込むこととなる。
【００４２】
然る後に、表面側カバー部材２０と裏面側カバー部材２１がコア部材４ａ，４ｂを挟持している状態で、その裏面側カバー部材２１に対して表面側カバー部材２０を前後方向に移動させる。これにより、表面側カバー部材２０と一体的に表面側のコア部材４ａが、裏面側カバー部材２１によって前後方向に固定されている裏面側のコア部材４ｂに対して、前後方向に摺動移動し、コア部材４ａとコア部材４ｂとの当接部位が擦り合わされる。このコア擦り合わせにより、コア部材４ａとコア部材４ｂとの当接部位が研磨されて鏡面状となり、また、当接部位間に入り込んだゴミが擦り潰され除去される。このため、コア部材４ａとコア部材４ｂとの当接部位が密着する。
【００４３】
この提案例に示すコア組み合わせ部材５を用いることにより、コア組み合わせ部材５からコア部材４ａ，４ｂに加えられる挟持力を弱くすることができる。また、コアの擦り合わせ時にコア部材４ａ，４ｂに大きな力を加えなくて済むので、コア部材４ａ，４ｂの擦り合わせを容易に行うことができ、コアの擦り合わせの作業性を向上させることができる。
【００４４】
さらに、コアの擦り合わせ時にコア部材４ａ，４ｂに大きな力を加えなくて済むので、コア部材４ａ，４ｂを薄型にしても、コア部材４ａ，４ｂがコアの擦り合わせ時に大きな力の印加に起因して破損してしまうという事態発生が抑制されることとなり、コア部材４ａ，４ｂの薄型化を促進させることが容易となる。これにより、コイル装置１の薄型化を促進させることが可能となる。
【００４５】
ところで、従来の構成では、コア足挿通孔１０の前後方向の幅Ｗはコア足９の前後方向の幅ｗよりもかなり長くしていた。このために、コイルパターン部３に対するコア部材４ａ、４ｂの前後方向の位置ずれや、コア部材４ａ，４ｂ同士の前後方向の位置ずれが生じ易かった。そのようなコア部材４ａ，４ｂの位置ずれが生じた場合には、インダクタンス値が低下してコイル装置１の性能を悪化させてしまうという問題が生じてしまう。
【００４６】
これに対して、この提案例では、前突出爪部３０と後突出爪部３１によって、表面側カバー部材２０、裏面側カバー部材２１に対するコア部材４ａ，４ｂの前後方向の配置位置を規制し、また、足部開口部２４と凸部２５の前後方向の遊嵌間隙Ｓを狭くすることで、コア部材４ａ，４ｂ同士の前後方向の位置ずれを無くすことができる。かつ、この提案例では、コア足挿通孔１０の前後方向の幅Ｗと裏面側カバー部材２１の足部２３の前後方向の幅Ｇとをほぼ等しくして、裏面側カバー部材２１をコア足挿通孔１０にがたつき無く嵌め込み固定することができる。このことから、コイルパターン部３に対するコア部材４ａ、４ｂの位置ずれも無くすことができる。
【００４７】
その上、この提案例では、凸部２５には球面状の曲面２６が形成されているので、表面側カバー部材２０の前後方向の移動時には足部開口部２４の端縁は凸部２５の曲面２６を乗り上がることができる。このことにより、コア部材４ａ，４ｂの位置合わせを行うために足部開口部２４の端縁と凸部２５の前後方向の遊嵌間隙Ｓを狭くしても、表面側カバー部材２０の前後方向の移動量を多くすることが可能となり、望ましいコアの擦り合わせ状態を作り出すことができる。
【００４８】
この提案例では、コア部材４ａ，４ｂの当接部位を良好に密着させることができ、かつ、コア部材４ａ，４ｂを設定通りの位置に配置させることが可能であることから、コイル装置１の性能悪化を確実に防止することができ、性能の信頼性が高いコイル装置１を提供することができる。
【００４９】
しかしながら、この提案例のコイル装置１には、次に示すような問題発生の虞があることが分かった。その問題とは、コア擦り合わせの作業時に、表面側カバー部材２０と裏面側カバー部材２１の嵌合状態が解消されてしまうという問題である。それというのは、この提案例では、コア組み合わせ部材５自体には、表面側カバー部材２０と裏面側カバー部材２１の前後方向の相対移動を停止させる機構は設けられておらず、例えば、表面側カバー部材２０の足部２３の前端面あるいは後端面が電子部品搭載用基板２のコア足挿通孔１０の内壁面に係止することにより、表面側カバー部材２０の前後方向の移動が停止される。
【００５０】
このような構成であることから、裏面側カバー部材２１に対して表面側カバー部材２０を前後方向に移動させた際に、足部開口部２４の端縁が凸部２５の頂部Ｐを乗り越える前に、表面側カバー部材２０の足部２３の前端面あるいは後端面がコア足挿通孔１０の内壁面に係止して、表面側カバー部材２０の前後方向の移動を停止させるように、コア足挿通孔１０の前後方向の長さと、表面側カバー部材２０の足部２３の前後方向の長さとがそれぞれ設計されることとなる。
【００５１】
しかし、加工精度の問題から、設計通りの寸法と成らないことがある。このため、表面側カバー部材２０の足部２３の前後方向の長さに対して、コア足挿通孔１０の前後方向の長さが長過ぎて、コアの擦り合わせ時に、表面側カバー部材２０の足部２３の前端面あるいは後端面がコア足挿通孔１０の内壁面に係止する前に、足部開口部２４の端縁が凸部２５の頂部Ｐを乗り越え、このとき、凸部２５が足部開口部２４から外れて足部２３の嵌合状態が解除されてしまう場合がある。
【００５２】
そこで、本発明者は次に示すような本実施形態例のコイル装置を考え出した。
【００５３】
図１（ａ）には本実施形態例のコイル装置において特徴的なコア組み合わせ部材の一部分が表側から見た状態により示され、図１（ｂ）には図１（ａ）に示すコア組み合わせ部材を右側から見た図が示され、図１（ｃ）には図１（ａ）に示すコア組み合わせ部材を前側から見た図が示されている。
【００５４】
この実施形態例では、コア組み合わせ部材５には、表面側カバー部材２０と裏面側カバー部材２１の相対的な前後方向の移動量を規制するためのストッパー手段１５が設けられている。それ以外の構成は提案例のコイル装置１とほぼ同様であり、この実施形態例の説明において、その提案例のコイル装置１と同一構成部分には同一符号を付し、その共通部分の重複説明は省略する。
【００５５】
この実施形態例では、ストッパー手段１５はストッパー用開口部１６と、突起部１７とを有して構成されている。ストッパー用開口部１６は、表面側カバー部材２０の足部２３と、裏面側カバー部材２１の足部２３とが嵌合する際に、外側となる足部２３（つまり、この実施形態例では、表面側カバー部材２０の足部２３）に形成されている。このストッパー用開口部１６の形成位置は特に限定されるものではなく、適宜に設定されるものであるが、その一例として、この実施形態例では、開口部２４ａと開口部２４ｂとの間の部位に形成されている。
【００５６】
突起部１７は、表面側カバー部材２０と裏面側カバー部材２１の各足部２３が嵌合状態であるときに内側となる足部２３（つまり、この実施形態例では、裏面側カバー部材２１の足部２３）に形成されている。その足部２３における突起部１７の形成位置は、表面側カバー部材２０と裏面側カバー部材２１の各足部２３が嵌合した際に、ストッパー用開口部１６から外側に突き出す位置に形成されている。なお、この実施形態例では、ストッパー手段１５（ストッパー用開口部１６、突起部１７）は表面側カバー部材２０、裏面側カバー部材２１の左右両側の足部２３に形成されているが、図１では、左側のストッパー手段１５の図示が省略されている。
【００５７】
図２には裏面側カバー部材２１の足部２３が模式的な斜視図により示されている。この図２に示されるように、この実施形態例では、突起部１７は切り起こし加工により形成されており、この突起部１７の前後両側の切断端部１７ａ，１７ｂはストッパー用開口部１６の端縁に形成する係止部と成している。この突起部１７の切断端部１７ａあるいは切断端部１７ｂがストッパー用開口部１６の端縁に係止することにより、裏面側カバー部材２１に対する表面側カバー部材２０の前後方向の相対移動が停止する。
【００５８】
この実施形態例では、裏面側カバー部材２１に対して表面側カバー部材２０を相対的に前後方向に移動させた際に、図３に示されるように、足部開口部２４の端縁が凸部２５の頂部Ｐを乗り越える前に、ストッパー用開口部１６の端縁が突起部１７に係止するように、ストッパー用開口部１６と突起部１７の関係が設計されている。
【００５９】
また、突起部１７は前後方向から見た際に、山形形状と成している。この山形形状の表面側の傾斜面１７ｃによって、表面側カバー部材２０の足部２３と、裏面側カバー部材２１の足部２３とを嵌合する際に、表面側カバー部材２０の足部２３の先端部が突起部１７に引っ掛かるのを防止している。
【００６０】
この実施形態例によれば、提案例とほぼ同様な構成を備えているので、提案例と同様な優れた効果を奏することができる。その上、ストッパー手段１５を設けたので、裏面側カバー部材２１に対して表面側カバー部材２０を前後方向に相対移動させた際に、足部開口部２４の端縁が凸部２５の頂部Ｐを乗り越える前に、ストッパー手段１５によって、表面側カバー部材２０の前後方向の相対移動を停止させることができる。これにより、足部開口部２４の端縁が凸部２５の頂部Ｐを乗り越えて表面側カバー部材２０と裏面側カバー部材２１の嵌合状態が解除されてしまう事態を確実に回避することができる。
【００６１】
なお、本発明はこの実施形態例に限定されるものではなく、様々な実施の形態を採り得る。例えば、この実施形態例では、表面側カバー部材２０の左右両側の各足部２３にはそれぞれ足部開口部２４が２個ずつ形成されていたが、各足部２３に足部開口部２４は１個ずつ形成してもよいし、３個以上形成してもよく、数に限定されるものではない。また、裏面側カバー部材２１の左右両側の各足部２３に形成される凸部２５も同様に数に限定されるものではない。ただ、各足部２３に足部開口部２４、凸部２５を複数個ずつ形成することにより、足部２３の嵌合状態の安定性を高めることができる。
【００６２】
また、この実施形態例では、凸部２５には、表面側カバー部材２０の前後方向の移動時に足部開口部２４の端縁が乗り上がる傾斜面である球面状の曲面２６が形成されていたが、その傾斜面の形状は球面状の曲面に限定されるものではなく、例えば、凸部２５を三角錐形状とし、その三角錐の三角傾斜平面により傾斜面を構成してもよい。
【００６３】
さらに、この実施形態例では、表面側カバー部材２０と裏面側カバー部材２１が嵌め合わされている状態では、表面側カバー部材２０の足部２３は裏面側カバー部材２１の足部２３よりも外側となっていたが、それとは逆に、裏面側カバー部材２１の足部２３が表面側カバー部材２０の足部２３よりも外側となるように、それら足部２３を嵌合させてもよい。この場合には、外側となる裏面側カバー部材２１の足部２３に足部開口部２４が形成され、内側となる表面側カバー部材２０の足部２３に凸部２５が形成されることとなる。
【００６４】
さらに、この実施形態例では、裏面側カバー部材２１を固定し、表面側カバー部材２０を裏面側カバー部材２１に対して前後方向に移動させる構成であったが、反対に、表面側カバー部材２０を固定して裏面側カバー部材２１を前後方向に移動させる構成としてもよい。このような構成であるときには、移動側の裏面側カバー部材２１の足部２３に切除部３２，３３を形成する。また、固定側となる表面側にＥ型コア部材を配置して、移動側となる裏面側にＩ型コア部材を配置する。
【００６５】
さらに、この実施形態例では、表面側カバー部材２０に切除部３２，３３が形成されていたが、例えば、コア足挿通孔１０の前後方向の幅Ｗが、表面側カバー部材２０、裏面側カバー部材２１の足部２３の前後方向の幅Ｇよりも大きい場合には、切除部３２，３３を設けなくともよい。この場合には、コア足挿通孔１０によって裏面側カバー部材２１は固定されないので、コアの擦り合わせ時に裏面側カバー部材２１を固定する他の手段を講じることとなる。あるいは、コアの擦り合わせ時に、表面側カバー部材２０と裏面側カバー部材２１を両方共に前後方向に移動させるように構成してもよい。
【００６６】
さらに、この実施形態例では、裏面側のコア部材４ｂはＥ型コア部材であったが、図７（ｂ）に示すように、中央部のコア足９ｂが円柱状であるＥＥＲ型コア部材４を用いてもよい。さらに、図７（ｃ）に示すように、断面がＵ字形状で、かつ、２本のコア足９のうちの一方は四角柱状と成し、他方のコア足９が円柱状と成しているＵＲ型コア部材４を用いてもよい。このＵＲ型コア部材４をコイルパターン部３に装備する際には、２本のコア足９のうちの一方のコア足９は電子部品搭載用基板２に形成されたコイルパターン部３の中央部に配置され、他方のコア足９はコイルパターン部３よりも外側に配置されることとなる。
【００６７】
さらに、この実施形態例では、対を成すコア部材４の一方側がＩ型コア部材とし、他方側をＥ型コア部材としたが、表裏両側のコア部材を共にＥ型コア部材や、ＥＥＲ型コア部材や、ＵＲ型コア部材としてもよい。この場合には、例えば、図８に示すように、表面側カバー部材２０、裏面側カバー部材２１をコア部材４から前後方向に張り出すような形状とし、表面側カバー部材２０、裏面側カバー部材２１の各基面部２２の内面にコア部材４の前後方向の配置位置を規制する凸部３４，３５を形成してもよい。
【００６８】
さらに、この実施形態例では、ストッパー手段１５（ストッパー用開口部１６、突起部１７）は表面側カバー部材２０、裏面側カバー部材２１の左右両側の足部２３に１箇所ずつ形成されていたが、左右両側の各足部２３にそれぞれ複数箇所ずつ形成してもよい。また、ストッパー手段１５は表面側カバー部材２０、裏面側カバー部材２１の左右両側の足部２３のうちの一方側のみに形成してもよい。
【００６９】
さらに、この実施形態例では、突起部１７は、前後方向から見た際に、山形形状と成していたが、突起部１７の形状は山形形状に限定されるものではない。
【００７０】
さらに、この実施形態例では、コイルパターン部３（コイルパターン７）の中心部の基板部位にコア足挿通孔１０（１０ｂ）が形成されると共に、コイルパターン部３よりも左右両側の側部側の基板部位にもコア足挿通孔１０（１０ａ，１０ｃ）が形成されている。提案例の構成では、裏面側カバー部材２１に対して表面側カバー部材２０を相対的に前後方向に移動させた際に、表面側カバー部材２０の足部２３の前端面あるいは後端面がコア足挿通孔１０（１０ａ，１０ｃ）の内壁面に係止することにより、表面側カバー部材２０の前後方向の相対移動が停止する。これにより、表面側カバー部材２０と裏面側カバー部材２１の嵌合状態の解消を防止していた。このため、コイルパターン部３の外側のコア足挿通孔１０、つまり、表面側カバー部材２０の足部２３が挿通するコア足挿通孔１０（１０ａ，１０ｃ）は、提案例の構成では必須のものであった。
【００７１】
これに対して、この実施形態例では、コア組み合わせ部材５自体にストッパー手段１５が設けられているので、コア足挿通孔１０ａ，１０ｃが無くとも、ストッパー手段１５により、表面側カバー部材２０と裏面側カバー部材２１の前後方向の相対移動を停止させることができる。このことから、ストッパー手段１５を設けることにより、コイル装置１は、図９（ａ）に示すような形態を採り得る。
【００７２】
この例では、基板２には、図９（ｂ）に示すように、端縁領域にコイルパターン部３（コイルパターン７）が形成されている。このコイルパターン部３の中央部の基板部位にはコア足挿通孔１０が形成されている。また、コイルパターン部３の左右両側の側縁部から基板側縁部に至る基板部位は切除部４０，４１と成している。これら切除部４０，４１に、コア部材４のコア足９（９ａ，９ｃ）が配置される。また、コア足挿通孔１０にはコア部材４のコア足９（９ｂ）が挿入配置される。
【００７３】
なお、この例では、コア足９を３本備えたコア部材（例えばＥ型コア部材）を用いる場合であり、コア部材４の左右のコア足９（９ａ，９ｃ）に対応させて切除部４０，４１が形成されていたが、例えば、コア足９が２本であるコア部材（例えばＵＲ型コア部材）を用いる場合には、コイルパターン部３の左右のうちの一方側の基板部位のみを切除した形態としてもよい。
【００７４】
このように、切除部を形成することにより、基板２の小型化を図ることができる。
【００７５】
【発明の効果】
この発明によれば、略コ字形状の表面側カバー部材と裏面側カバー部材によりコア組み合わせ部材を構成し、それら表面側カバー部材と裏面側カバー部材の嵌合によって一対のコア部材を組み合わせる構成とした。このことから、従来の構成に比べて、コア組み合わせ部材からコア部材に加えられる力を弱くすることができる。
【００７６】
また、表面側カバー部材と裏面側カバー部材は、コア部材を組み合わせた状態のまま、相対的に前後方向に移動が自在な構成である。この構成から、表面側と裏面側のそれぞれのコア部材を表面側カバー部材あるいは裏面側カバー部材と一体的に前後方向に相対移動させることができる。
【００７７】
これらのことにより、大きな力をコア部材に加えなくともコアの擦り合わせ作業を行うことができることとなる。このため、コアの擦り合わせ作業が容易となり、作業性を向上させることができる。また、コア部材を薄型にしても、コアの擦り合わせ時のコア部材の破損を抑制することができる。これにより、コア部材の薄型化を図ることができて、コイル装置の薄型化を促進させることが可能となる。
【００７８】
さらに、ストッパー手段が設けられ、このストッパー手段によって、表面側カバー部材と裏面側カバー部材の前後方向の相対移動量が規制されるので、表面側カバー部材と裏面側カバー部材の前後方向の相対移動が大き過ぎて嵌合状態が解消されるという事態発生を確実に抑制することができる。
【００７９】
ストッパー手段は、足部の開口部と、突起部により構成されているものにあっては、簡単な構成で、ストッパー手段を構成することができ、コア組み合わせ部材の構造の複雑化を防止することができる。
【００８０】
この発明では、コア組み合わせ部材自体にストッパー手段を設けたので、コイルパターン形成領域の側縁部から基板側縁部に至る基板部位を切除部としても、コア組み合わせ部材の表面側カバー部材と裏面側カバー部材の前後方向の相対移動を停止させることができて、表面側カバー部材と裏面側カバー部材の嵌合状態の解消を防止することができる。このことから、基板に切除部を設けることにより、基板の小型化を図ることができることとなる。
【図面の簡単な説明】
【図１】本発明に係るコイル装置の一実施形態例の要部構成部分を示すモデル図である。
【図２】図１に示すコア組み合わせ部材を構成する裏面側カバー部材の一部分を模式的に表したモデル図である。
【図３】図１に示すコア組み合わせ部材に形成されているストッパー手段の機能を説明するための図である。
【図４】本発明者が考え出したコイル装置の提案例を説明するための図である。
【図５】図４に示すコイル装置を構成するコア組み合わせ部材を示す図である。
【図６】図５に示すコア組み合わせ部材の機能を説明するための図である。
【図７】その他の実施形態例を説明するための図である。
【図８】さらに、その他の実施形態例を説明するための図である。
【図９】さらにまた、その他の実施形態例を説明するための図である。
【図１０】従来のコイル装置を説明するための図である。
【符号の説明】
１  コイル装置
２  電子部品搭載用基板
３  コイルパターン部
４  コア部材
５  コア組み合わせ部材
９  コア足
１０  コア足挿通孔
１５  ストッパー手段
１６  ストッパー用開口部
１７  突起部
２０  表面側カバー部材
２１  裏面側カバー部材
２２  基面部
２３  足部
４０，４１  切除部
【図１】
0003627669.tif 000002
【図２】
0003627669.tif 000003
【図３】
0003627669.tif 000004
【図４】
0003627669.tif 000005
【図５】
0003627669.tif 000006
【図６】
0003627669.tif 000007
【図７】
0003627669.tif 000008
【図８】
0003627669.tif 000009
【図９】
0003627669.tif 000010
【図１０】
0003627669.tif 000011